(57)【要約】【課題】ヒップアップ作用を発揮しながら、縫合線が着用者に不快感を与えないショーツを提供する。【解決手段】左股布21及び右股布31から起こした左腹当て布22及び右腹当て布32に対し、前記左股布21から着用者７の左臀部71を包み込んだ左後布23を左縫合線14により、前記右股布31から着用者７の右臀部72を包み込んだ右後布33を右縫合線15により接合し、左縫合線14の下端から左側方に向けて下り勾配で延びる左後布23の下縁231と左股布21の左側縁213とから左裾口12を形成し、右縫合線15の下端から右側方に向けて下り勾配で延びる右後布33の下縁331と右股布31の右側縁313とから右裾口13を形成し、左腹当て布22及び右腹当て布32の上縁222,322、左後布23の上縁232及び右後布33の上縁332から穿き口11を形成したショーツ１である。【選択図】図１
2016117974.tif 000002
【特許請求の範囲】
【請求項１】
股布から前面に起こした腹当て布に対して、前記股布から背面に広がり、着用者の左臀部を包み込んで左側方から前面に掛け回した伸縮性のある左後布を左縫合線により接合し、また前記股布から背面に広がり、着用者の右臀部を包み込んで右側方から前面に掛け回した伸縮性のある右後布を右縫合線により接合して構成され、
左裾口は、左縫合線の下端から左側方に向けて下り勾配で延び、着用者の左臀部の下縁に倣う円弧状である左後布の下縁と、股布の左側縁とから形成され、
右裾口は、右縫合線の下端から右側方に向けて下り勾配で延び、着用者の右臀部の下縁に倣う円弧状である右後布の下縁と、股布の右側縁とから形成され、
穿き口は、連続する腹当て布の上縁、左後布の上縁及び右後布の上縁から形成される下衣。
【請求項２】
股布及び腹当て布は、それぞれ左股布及び右股布、左腹当て布及び右腹当て布に分かれ、左股布、左腹当て布及び左後布が一体の左身頃を、右股布、右腹当て布及び右後布が一体の右身頃をそれぞれ構成し、
左身頃及び右身頃は、左腹当て布、左股布及び左後布に連続する左股ぐり側縁と、右腹当て布、右股布及び右後布に連続する右股ぐり側縁とを中央縫合線により接合し、
左腹当て布の左前側縁と左後布の左後側縁とを左縫合線により、右腹当て布の右前側縁と右後布の右後側縁とを右縫合線によりそれぞれ接合する請求項１記載の下衣。
【請求項３】
股布は、左股布及び右股布に分かれ、腹当て布は、前記左股布及び右股布から分離した別体で、左股布及び左後布が一体の左身頃を、右股布及び右後布が一体の右身頃をそれぞれ構成し、
左身頃及び右身頃は、左股布及び左後布に連続する左股ぐり側縁と、右股布及び右後布に連続する右股ぐり側縁とを中央縫合線により接合し、
左股布の上縁と右股布の上縁とをそれぞれ腹当て布の下縁に前縫合線により接合し、
腹当て布の左前側縁と左後布の左後側縁とを左縫合線により、前記腹当て布の右前側縁と右後布の右後側縁とを右縫合線によりそれぞれ接合する請求項１記載の下衣。
【請求項４】
股布は、左後布及び右後布から分離した別体で、腹当て布は、前記股布から分離した別体で、左後布が左身頃を、右後布が右身頃をそれぞれ構成し、
左身頃及び右身頃は、左後布の左股ぐり側縁と、右後布の右股ぐり側縁とを中央縫合線により接合し、
左後布の左股ぐり側縁及び下縁に挟まれた前縁と右後布の右股ぐり側縁及び下縁に挟まれた前縁とをそれぞれ股布の後縁に後縫合線により接合し、
股布の前縁を腹当て布の下縁に前縫合線により接合し、
腹当て布の左前側縁と左後布の左後側縁とを左縫合線により、前記腹当て布の右前側縁と右後布の右後側縁とを右縫合線によりそれぞれ接合する請求項１記載の下衣。
【請求項５】
股布及び腹当て布は、一体の腹当て股布として左後布及び右後布から分離した別体で、左後布が左身頃を、右後布が右身頃をそれぞれ構成し、
左身頃及び右身頃は、左後布の左股ぐり側縁と、右後布の右股ぐり側縁とを中央縫合線により接合し、
左後布の左股ぐり側縁及び下縁に挟まれた前縁と右後布の右股ぐり側縁及び下縁に挟まれた前縁とをそれぞれ腹当て股布の後縁に後縫合線により接合し、
腹当て股布の左前側縁と左後布の左後側縁とを左縫合線により、前記腹当て股布の右前側縁と右後布の右後側縁とを右縫合線によりそれぞれ接合する請求項１記載の下衣。
【請求項６】
股布は、内側に補助股布を重ねた積層構造とした請求項１〜５いずれか記載の下衣。
【請求項７】
補助股布は、前縁及び後縁のみ接合固定し、左右側縁を自由状態にした請求項６記載の下衣。
【請求項８】
腹当て布は、内側に補助腹当て布を重ねた積層構造とした請求項１〜５いずれか記載の下衣。
【請求項９】
腹当て布又は股布は、どちらか一方又は双方の内側に補助腹当て股布を重ねた積層構造とした請求項１〜５いずれか記載の下衣。
【発明の詳細な説明】
【技術分野】
【０００１】
本発明は、女性用のショーツや男性用のパンツ等の下衣に関する。
【背景技術】
【０００２】
従来より、男性用のパンツや女性用のショーツ等の下衣において、ヒップアップ作用を有する下衣が種々提案されている（例えば特許文献１。特許文献１が開示する下衣は、下腹部を覆う伸縮性を備えた腹当て布（前面覆い部分）と、臀部を覆う伸縮性を備えた左後布及び右後布（背面覆い部分）とからなる身頃と、股間部を覆う股布（まち部）とから構成され、腹当て布の左右両側に左後布及び右後布の左側縁及び右側縁を背面側の中央縫合線で縫合して筒状に形成される。特徴は、展開した身頃における左後布及び右後布の左側縁及び右側縁が、下方窄まり状態に設定されている点にある（特許文献１・［請求項１］）。
【０００３】
これにより、特許文献１が開示する下衣は、臀部（ヒップ下部体形）に適合するように絞り込むことで、臀部の下半分を深く立体的に包み込むことができ、左裾口及び右裾口それぞれの背面側（ヒップ裾ライン）のずり上がりを確実に防止したり、着用者の直立姿勢時に臀部又は臀溝部に弛み皺やだぶつきを発生させなくしたりして、審美性に優れたヒップ裾ライン（足口内周のほぼ後ろ半分）を出せる効果があるとする。このほか、身頃を筒状に形成する際、縫合箇所の数、縫合位置、縫合線の形状等に制約がなくなり、身頃デザインの自由度を向上させる効果があるとする（特許文献１・［0013］）。
【先行技術文献】
【特許文献】
【０００４】
【特許文献１】特開2013-007123号公報
【発明の概要】
【発明が解決しようとする課題】
【０００５】
特許文献１が開示する下衣の左裾口及び右裾口は、前面側では着用者の鼠径部に沿って上り勾配で、側面側から背面側に掛けて下り勾配になっている。このため、左後布及び右後布によるヒップアップ作用を期待するには、左裾口及び右裾口の背面側を持ち上げる力が必要になり、伸縮性帯状材（ストレッチレース又は生地やゴム）を縫い付けなければならなかった（特許文献１・［0020］）。これは、左裾口及び右裾口に窄まる際の縮み皺を発生させることを意味し、審美性を高める観点から、改善の余地がある。
【０００６】
また、特許文献１が開示する下衣は、身頃が腹当て布と左後布及び右後布とを前面側で連続させた一体の生地とし、左後布及び右後布を背面側の中央縫合線で縫合させている。このため、身頃を伸縮性生地で構成した場合、前記中央縫合線から遠くなるほど伸縮作用が発揮されることから、最も伸縮作用が高く発揮される部分が腹当て布になり、左後布及び右後布の伸縮が前記腹当て布に劣る可能性がある。これでは、左後布及び右後布によるヒップアップ作用が期待できない。
【０００７】
このように、特許文献１が開示する下衣は、ヒップアップ作用の発揮に関して、身頃形状の特定や前記身頃による左裾口及び右裾口の形状の検討が必要であると考えられる。そこで、ヒップアップ作用を十分に発揮できることを主眼としながら、身頃から下衣を形成するために必要な縫合線が前記下衣の着用者に不快感を与えないように、身頃や左裾口及び右裾口の形状を特定するため、検討した。
【課題を解決するための手段】
【０００８】
検討の結果開発したものが、股布から前面に起こした腹当て布に対して、前記股布から背面に広がり、着用者の左臀部を包み込んで左側方から前面に掛け回した伸縮性のある左後布を左縫合線により接合し、また前記股布から背面に広がり、着用者の右臀部を包み込んで右側方から前面に掛け回した伸縮性のある右後布を右縫合線により接合して構成され、左裾口は、左縫合線の下端から左側方に向けて下り勾配で延び、着用者の左臀部の下縁に倣う円弧状である左後布の下縁と、股布の左側縁とから形成され、右裾口は、右縫合線の下端から右側方に向けて下り勾配で延び、着用者の右臀部の下縁に倣う円弧状である右後布の下縁と、股布の右側縁とから形成され、穿き口は、連続する腹当て布の上縁、左後布の上縁及び右後布の上縁から形成される下衣である。
【０００９】
本発明の下衣は、背面側から前面側に掛け回した左後布及び右後布を、腹当て布に対して前面側で左縫合線及び右縫合線で接合することにより、前記左縫合線及び右縫合線を基準に左臀部及び右臀部をそれぞれ包み込む左後布及び右後布が伸縮作用を発揮する。そして、本発明の下衣は、前記左後布及び右後布が形成する左裾口及び右裾口を、前記左縫合線又は右縫合線の下端から前面側で下り勾配、背面側で着用者の左臀部及び右臀部の下縁に倣う円弧状とすることにより、左後布及び右後布の伸縮だけで左臀部及び右臀部のヒップアップ作用が発揮できる。
【００１０】
左裾口及び右裾口は、それぞれの大半を形成する下縁を有する左後布及び右後布が左臀部及び右臀部を包み込む関係から裾窄まりになっており、前記左後布及び右後布が伸縮性生地を用いている限り、ほつれ防止を施すだけでもよい。もちろん、脚に密着させるためにゴムや伸縮性生地等の伸縮要素を付加してもよいし、審美性を高めるレース等の装飾要素を付加してもよい。これに対し、左後布及び右後布の上縁と腹当て布の上縁とが形成する穿き口は、伸縮性を備えたレースゴム又は平ゴム等を縫着したり、周方向に形成した筒部に平ゴム等を挿入したりして、着用者の腰に密着させる。
【００１１】
本発明において、左臀部又は右臀部を包み込むとは、左裾口又は右裾口の背面側を形成する左後布又は右後布の下縁が左臀部又は右臀部のヒップライン（最も張り出したライン）より下方に設定され、左後布又は右後布がおよそ左臀部又は右臀部の全部又はほとんどに宛てがわれる状態を意味する。本発明の下衣は、左後布又は右後布の下縁が左縫合線又は右縫合線の下端から下り勾配で延びているため、前記左後布又は右後布の下縁が左臀部又は右臀部のヒップラインに交差する虞がなく、確実に左後布又は右後布が左臀部又は右臀部を包み込むことができる。
【００１２】
本発明の下衣は、左後布、右後布、股布及び腹当て布が一体となった身頃から構成することもできるが、前記左後布及び右後布に合わせて、股布及び腹当て布が左右に分かれた左身頃及び右身頃から構成するとよい。具体的には、股布及び腹当て布は、それぞれ左股布及び右股布、左腹当て布及び右腹当て布に分かれ、左股布、左腹当て布及び左後布が一体の左身頃を、右股布、右腹当て布及び右後布が一体の右身頃をそれぞれ構成し、左身頃及び右身頃は、左腹当て布、左股布及び左後布に連続する左股ぐり側縁と、右腹当て布、右股布及び右後布に連続する右股ぐり側縁とを中央縫合線により接合し、左腹当て布の左前側縁と左後布の左後側縁とを左縫合線により、右腹当て布の右前側縁と右後布の右後側縁とを右縫合線によりそれぞれ接合する。
【００１３】
左身頃及び右身頃から構成される本発明の下衣は、左後布及び右後布が背面側の中央縫合線により分断されながら、左裾口を形成する左後布の下縁と股布の左側縁とが連続し、また右裾口を形成する右後布の下縁と股布の右側縁とが連続することから、左縫合線を基準に発揮される左裾口周りの伸縮は左臀部の持ち上げのみに寄与し、また右縫合線を基準に発揮される右裾口周りの伸縮は右臀部の持ち上げのみに寄与することになり、左臀部及び右臀部それぞれに独立したヒップアップ作用が働く。
【００１４】
下腹部に中央縫合線が当たることを避ける場合、上記左身頃及び右身頃から、腹当て布を別体で構成する。具体的には、股布は、左股布及び右股布に分かれ、腹当て布は、前記左股布及び右股布から分離した別体で、左股布及び左後布が一体の左身頃を、右股布及び右後布が一体の右身頃をそれぞれ構成し、左身頃及び右身頃は、左股布及び左後布に連続する左股ぐり側縁と、右股布及び右後布に連続する右股ぐり側縁とを中央縫合線により接合し、左股布の上縁と右股布の上縁とをそれぞれ腹当て布の下縁に前縫合線により接合し、腹当て布の左前側縁と左後布の左後側縁とを左縫合線により、前記腹当て布の右前側縁と右後布の右後側縁とを右縫合線によりそれぞれ接合する。
【００１５】
これにより、左後布及び右後布が中央縫合線により分断されて左右それぞれに発揮されるヒップアップ作用を確保しながら、下衣の前面側には左縫合線及び右縫合線以外なくなり、特に最も前面側に突出する下腹部中心に中央縫合線がなくなることから、前記中央縫合線が下腹部に擦れ合うことによる不快感がなくなる。ここで、左縫合線及び右縫合線が、下腹部を挟んでそれぞれが上下方向に延び、かつそれぞれの下端が鼠径部に位置すれば、前記左縫合線及び右縫合線の着用者に対する接触が最小限に抑えられ、着用者の不快感を軽減できる。
【００１６】
また、下腹部及び股間に中央縫合線が当たることを避ける場合、上記左身頃及び右身頃から、腹当て布及び股布を別体で構成する。具体的には、股布は、左後布及び右後布から分離した別体で、腹当て布は、前記股布から分離した別体で、左後布が左身頃を、右後布が右身頃をそれぞれ構成し、左身頃及び右身頃は、左後布の左股ぐり側縁と、右後布の右股ぐり側縁とを中央縫合線により接合し、左後布の下縁と右後布の下縁とをそれぞれ股布の後縁に後縫合線により接合し、股布の前縁を腹当て布の下縁に前縫合線により接合し、腹当て布の左前側縁と左後布の左後側縁とを左縫合線により、前記腹当て布の右前側縁と右後布の右後側縁とを右縫合線によりそれぞれ接合する。
【００１７】
これにより、左後布及び右後布が中央縫合線により分断されて左右それぞれに発揮されるヒップアップ作用を確保しながら、下腹部及び股間に対する中央縫合線がなくなり、前記中央縫合線が下腹部及び股間に擦れ合うことによる不快感がなくなる。また、上述と同様、左縫合線及び右縫合線が、下腹部を挟んでそれぞれが上下方向に延び、かつそれぞれの下端が鼠径部に位置すれば、前記左縫合線及び右縫合線の着用者に対する接触が最小限に抑えられ、着用者の不快感を軽減できる。
【００１８】
左身頃及び右身頃から別体とされた腹当て布及び股布は、一体の腹当て股布とすることもできる。具体的には、股布及び腹当て布は、一体の腹当て股布として左後布及び右後布から分離した別体で、左後布が左身頃を、右後布が右身頃をそれぞれ構成し、左身頃及び右身頃は、左後布の左股ぐり側縁と、右後布の右股ぐり側縁とを中央縫合線により接合し、左後布の下縁と右後布の下縁とをそれぞれ腹当て股布の後縁に後縫合線により接合し、腹当て股布の左前側縁と左後布の左後側縁とを左縫合線により、前記腹当て股布の右前側縁と右後布の右後側縁とを右縫合線によりそれぞれ接合する。
【００１９】
これにより、左後布及び右後布が中央縫合線により分断されて左右それぞれに発揮されるヒップアップ作用を確保し、また中央縫合線が下腹部及び股間に擦れ合うことによる不快感をなくしながら、更に腹当て布及び股布を接合する前縫合線をなくして、前記前股縫合線が下腹部又は股間に擦れ合うことによる不快感をなくすことができる。更に、上述と同様、左縫合線及び右縫合線が、下腹部を挟んでそれぞれが上下方向に延び、かつそれぞれの下端が鼠径部に位置すれば、前記左縫合線及び右縫合線の着用者に対する接触が抑えられ、着用者の不快感を軽減できる。
【００２０】
股布は、内側に補助股布を重ねた積層構造とすると、中央縫合線があれば前記中央縫合線が股間に擦れ合う虞をなくし、股布の股間に対する食い込みをなくすことができる。この場合、補助股布は、前縁及び後縁のみ縫着固定し、左右側縁を自由状態にする。補助股布の前縁は、股布又は腹当て布に縫着し、補助股布の後縁は、股布又は左後布及び右後布に縫着する。これにより、補助股布は、前後方向に緊張が与えられながら左右方向に揺動しやすく、着用者が動いても股間に対する密着を維持させやすくなる。そして、緊張する補助股布に対して股布は余裕が与えられるので、股布の股間に対する食い込みをなくしやすくなる。股布と別体となる補助股布は、例えば抗菌、脱臭、通気、吸水、蒸散、保湿、保温、保冷、撥水等を有する機能性生地を用いることができる。
【００２１】
また、腹当て布は、内側に補助腹当て布を重ねた積層構造とすると、中央縫合線があれば前記中央縫合線が下腹部に擦れ合う虞をなくし、着用者の下腹部の保温性を高めることができる。更に、腹当て布又は股布は、どちらか一方又は双方の内側に補助腹当て股布を重ねた積層構造とすると、中央縫合線があれば前記中央縫合線が下腹部及び股間に擦れ合う虞をなくし、着用者の下腹部の保温性を高め、股布の股間に対する食い込みをなくすことができる。補助腹当て股布は、腹当て布をなくし、股布に対してのみ積層構造として腹当て布部分を単層構造としたり、逆に股布をなくし、腹当て布に対してのみ積層構造として股布部分を単層構造としたりしてもよい。補助腹当て布又は補助腹当て股布は、例えば抗菌、脱臭、通気、吸水、蒸散、保湿、保温、保冷、撥水等を有する機能性生地を用いることができる。
【発明の効果】
【００２２】
本発明により、左臀部及び右臀部をそれぞれにヒップアップ作用を働かせる下衣の提供が可能となる。これは、左臀部及び右臀部をそれぞれ包み込む左後布及び右後布と腹当て布との左縫合線及び右縫合線を前面側に配し、前記左縫合線及び右縫合線を基準とした左後布及び右後布の伸縮が左臀部及び右臀部に対して最も強く働くようにしたことによる効果である。本発明のヒップアップ作用は、女性用のショーツ等に有効であるが、男性用のパンツに適用しても構わないので、本発明の下衣に前記男性用のパンツを含む。
【００２３】
左股布、左腹当て布及び左後布からなる左身頃と、右股布、右腹当て布及び右後布からなる右身頃とで構成された本発明の下衣は、背面側の中央縫合線で左後布及び右後布それぞれの伸縮が互いに影響しないように分断することにより、左臀部及び右臀部それぞれに独立したヒップアップ作用を働かせる。これにより、着用者の左臀部及び右臀部の谷間がくっきりと現れるようになり、本発明の下衣を着用することによる審美性を高める効果をもたらす。
【００２４】
左身頃及び右身頃から腹当て布を別体にすると、下腹部に左身頃及び右身頃の中央縫合線が擦れることをなくせる。同様に、左身頃及び右身頃から股布を別体にすると、股間や下腹部に左身頃及び右身頃の中央縫合線が擦れることをなくせる。更に、左身頃及び右身頃と別体の腹当て布及び股布を一体の腹当て股布にすると、股間に前縫合線が擦れることをなくせる。このほか、左縫合線及び右縫合線が、下腹部を挟んでそれぞれが上下方向に延び、かつそれぞれの下端が鼠径部に位置すれば、前記左縫合線及び右縫合線の着用者に対する接触が抑えられる。このようにして、本発明の下衣は、各縫合線による着用者の不快感を軽減又はなくし、ヒップアップ作用と相まって、穿き心地を改善する。
【００２５】
補助股布、補助腹当て布又は補助腹当て股布は、中央縫合線が下腹部又は股間に擦れ合う虞をなくすほか、下腹部の保温性を高めたり（補助腹当て布又は補助腹当て股布）、股布が股間に食い込むことを防止し、ヒップアップ作用により得られる審美性を損ねる股布の皺や偏りを防止したり（補助股布又は補助腹当て股布）する効果がある。更に、補助股布、補助腹当て布又は補助腹当て股布は、例えば抗菌、脱臭、通気、吸水、蒸散、保湿、保温、保冷、撥水等を有する機能性生地を用いることができ、本発明の下衣に機能性を付与する効果を有する。このように、本発明は、審美性に優れた下衣だけでなく、機能性を備えた下衣を提供する。
【図面の簡単な説明】
【００２６】
【図１】本発明を適用したショーツの一例（本例）の装着状態を表す正面図である。
【図２】本例のショーツの装着状態を表す背面図である。
【図３】本例のショーツを構成する左身頃及び右身頃の正面図である。
【図４】本例のショーツの分解斜視図である。
【図５】本例のショーツの装着状態を表す断面図である。
【図６】本発明を適用したショーツの別例１の装着状態を表す正面図である。
【図７】本発明を適用したショーツの別例１の装着状態を表す背面図である。
【図８】別例１のショーツを構成する左身頃、右身頃及び腹当て布の正面図である。
【図９】別例１のショーツの分解斜視図である。
【図１０】本発明を適用したショーツの別例２の装着状態を表す正面図である。
【図１１】本発明を適用したショーツの別例２の装着状態を表す背面図である。
【図１２】別例２のショーツを構成する左身頃、右身頃、腹当て布及び股布の正面図である。
【図１３】別例２のショーツの分解斜視図である。
【図１４】本発明を適用したショーツの別例３の装着状態を表す正面図である。
【図１５】本発明を適用したショーツの別例３の装着状態を表す背面図である。
【図１６】別例３のショーツを構成する左身頃、右身頃及び腹当て股布の正面図である。
【図１７】別例３のショーツの分解斜視図である。
【図１８】本発明を適用したショーツの別例４の装着状態を表す正面図である。
【図１９】別例４のショーツの装着状態を表す断面図である。
【図２０】別例４のショーツに取り付ける補助股布の正面図である。
【図２１】本発明を適用したショーツの別例５の装着状態を表す正面図である。
【図２２】別例５のショーツの装着状態を表す断面図である。
【図２３】別例５のショーツに取り付ける補助腹当て布の正面図である。
【図２４】本発明を適用したショーツの別例６の装着状態を表す正面図である。
【図２５】別例６のショーツの装着状態を表す断面図である。
【図２６】別例６のショーツに取り付ける補助腹当て股布の正面図である。
【発明を実施するための形態】
【００２７】
以下、本発明を実施するための形態について図を参照しながら説明する。本発明の下衣は、例えば図１及び図２に見られるような女性用のショーツ１に適用される。本例のショーツ１は、左右対称の伸縮性生地裁断片である左身頃２と右身頃３とを中央縫合線16により接合し、穿き口11にレースゴム111を縫着し、そして左裾口12及び右裾口13に平ゴム121,131を縫着又は左裾口12及び右裾口13に設けた筒部に内挿している。図示を省略するが、左腹当て布22及び右腹当て布32に相当する範囲に、レース地からなる装飾用腹当て布を重ねて縫着してもよい。この場合、前記装飾用腹当て布は、ストレッチラッセルレース（ポリウレタンゴム糸交編レース）で構成し、左腹当て布22及び右腹当て布32同様の伸縮性を付与する。
【００２８】
左身頃２及び右身頃３は、図３に見られるように、左右対称で、例えば裁断された伸縮性生地を左身頃２とし、前記裁断された生地を裏返して右身頃３とすることもできる。以下、構造の説明では、左身頃２に右身頃３の用語及び符号を括弧書きで付記する。左身頃２（右身頃３）は、図３に見られるように、左股布21（右股布31）、左腹当て布22（右腹当て布32）及び左後布23（右後布33）が一枚の伸縮性生地から構成される。図３に示された左身頃２（右身頃３）は、着用者７の肌に触れない外側（生地表側）から見ており、説明の便宜上、左股布21（右股布31）、左腹当て布22（右腹当て布32）及び左後布23（右後布33）相互の境界に破線を付している。
【００２９】
本例の左身頃２（右身頃３）は、左腹当て布22（右腹当て布32）の左前側縁223（右前側縁323）と左後布23（右後布33）の左後側縁233（右後側縁333）とを、左裾口12（右裾口13）を形成する左股布21（右股布31）の左側縁213（右側縁313）及び左後布23（右後布33）の下縁231（下縁331）から見て互いの距離が開く「スラッシュ状」又は「逆スラッシュ状」にそれぞれ傾斜させている。これにより、左腹当て布22（右腹当て布32）の左前側縁223（右前側縁323）と左後布23（右後布33）の左後側縁233（右後側縁333）とを左縫合線14（右縫合線15）により接合した際、左裾口12（右裾口13）が裾窄まりとなる。
【００３０】
本例の左股布21（右股布31）は、略直線（微妙に湾曲している）の左側縁213（右側縁313）の両端に、図３中上方に向かって閉じるように傾斜させた前縁211（前縁311）及び後縁212（後縁312）を有し、前記前縁211（前縁311）及び後縁212（後縁312）に挟まれて略Ｖ字状に開いた左股ぐり側縁（直線部分215を含む）214（右股ぐり側縁（直線部分315を含む）314）を有する変形台形状の生地部分で、着用者７がショーツ１を履いた際、左股ぐり側縁214（右股ぐり側縁314）が前後に伸びて前記着用者７の股間76に沿う（後掲図５参照）。前縁211は、左腹当て布22（右腹当て布32）の下縁221（下縁321）を兼ねる境界である。また、後縁212（後縁312）は、左後布23（右後布33）の前縁235（前縁335）を兼ねる境界である。左股布21（右股布31）の大きさや形状は、本例に限定されず、自由である。
【００３１】
本例の左腹当て布22（右腹当て布32）は、左股布21（右股布31）の前縁211（前縁311）を兼ねる境界である下縁221（下縁321）の両端から、前記左股布21（右股布31）の左股ぐり側縁214（右股ぐり側縁314）に連続する左股ぐり側縁224（右股ぐり側縁324）と、左後布23（右後布33）の左後側縁233（右後側縁333）と左縫合線14（右縫合線15）により接合する左前側縁223（右前側縁323）とを延ばし、前記左股ぐり側縁224（右股ぐり側縁324）及び左前側縁223（右前側縁323）の先端を上縁222（上縁322）で結んだ略台形状の生地部分で、着用者７がショーツ１を穿いた際、前記着用者７の下腹部左側に沿う（図１参照）。下縁221（下縁321）は、左股布21（右股布31）の前縁211（前縁311）を兼ねる境界である。また、上縁222（上縁322）は、左後布23（右後布33）の上縁232（上縁332）に連続して穿き口11を形成する。左腹当て布22（右腹当て布32）の大きさや形状は、本例に限定されず、自由である。
【００３２】
本例の左後布23（右後布33）は、略直線（微妙に湾曲している）の下縁231（下縁331）の両端に、図３中上方に向かって開くように傾斜させた前縁235（前縁335）及び左後側縁233（右後側縁333）を有し、前記前縁235（前縁335）及び左後側縁233（右後側縁333）それぞれから図３中上方に向かって閉じるように傾斜させた上縁232（上縁332）及び左股ぐり側縁234（右股ぐり側縁334）を延ばし、突き合わせた変形五角形状の生地部分で、着用者７がショーツ１を履いた際、広く左臀部71（右臀部72）を覆って包み込む（図２参照）。前縁235（前縁335）は、左股布21（右股布31）の後縁212（後縁312）を兼ねる境界である。また、上縁232（上縁332）は、左腹当て布22（右腹当て布32）の上縁222（上縁322）に連続して穿き口11を形成する。左後布22（右後布32）の大きさや形状は、本例に限定されず、自由である。
【００３３】
左身頃２及び右身頃３は、図１及び図４から明らかなように、左股布21、左腹当て布22及び左後布23に連続する左股ぐり側縁214,224,234と、右股布31、右腹当て布32及び右後布33に連続する右股ぐり側縁314,324,334とを中央縫合線16により接合し、左腹当て布22の左前側縁223と左後布23の左後側縁233とを左縫合線14により、右腹当て布32の右前側縁323と右後布33の右後側縁333とを右縫合線15によりそれぞれ接合することにより、ショーツ１の全体形状を構成する。ショーツ１は、左腹当て布22及び右腹当て布32に対して、審美性を高めるレース地の装飾用腹当て布を別途縫着してもよい（図示略）。
【００３４】
左裾口12は、左縫合線14の下端から左側方（図１中右方向）に向けて下り勾配で延び、着用者７の左臀部71の下縁に倣う円弧状である左後布23の下縁231と、左股布21の左側縁213とから形成される。また、右裾口13は、右縫合線15の下端から右側方（図１中左方向）に向けて下り勾配で延び、着用者７の右臀部72の下縁に倣う円弧状である右後布33の下縁331と、右股布31の右側縁313とから形成される。本例のショーツ１は、左裾口12及び右裾口13に平ゴム121,131を縫着又は左裾口12及び右裾口13に設けた筒部に内挿し、着用者７の左脚73及び右脚74の付け根に前記左裾口12及び右裾口13をフィットさせている。左裾口12及び右裾口13の生地端にほつれがなければ、平ゴム121,131がなくてもよい。また、審美性を高めるため、穿き口11同様、左裾口12及び右裾口13にもレースゴムを縫着してもよいし、更に左裾口12及び右裾口13を左脚73及び右脚74の根元にフィットさせるため、前記根元に沿う環状の縁取り布又は裾口布を左裾口12及び右裾口13に縫着してもよい。
【００３５】
穿き口11は、連続する左腹当て布22及び右腹当て布32の上縁222,322、左後布23の上縁232及び右後布33の上縁332から形成される。本例のショーツ１は、前記穿き口11にレースゴム111を縫着し、着用者７の腰75に対して面接触させるようにし、締付けによる圧迫感を軽減している。レースゴム111のデザインや幅（高さ方向の長さ）は自由で特に限定されず、前記デザインの図示を省略している。レースゴム111に代えて、上記左裾口12及び右裾口13のように、平ゴムを縫着又は穿き口11に設けた筒部に内挿してもよい。また、穿き口11を低くし、本例のレースゴム111より広幅の弾性パワーネット112（図１中仮想線参照）を前記穿き口11に縫着し、腰回り（特に骨盤）を包み込むようにしてもよい。弾性パワーネット112は、レースゴム111より強い弾性力により、骨盤押さえ作用を発揮する。
【００３６】
本発明のショーツ１は、図４に見られるように、背面側から前面側に掛け回した左後布23及び右後布33を、それぞれ左腹当て布22及び右腹当て布32に左縫合線14及び右縫合線15で接合することにより、前記左縫合線14及び右縫合線15を基準に、着用者７の左臀部71及び右臀部72をそれぞれ包み込む左後布23及び右後布33が特に強い伸縮作用を発揮する（図１〜図３中矢印参照）。このとき、左縫合線14を基準に発揮される左裾口12周りの伸縮作用は左臀部71のみに働き、また右縫合線15を基準に発揮される右裾口13周りの伸縮作用は右臀部のみに働く。
【００３７】
そして、左後布23及び右後布33が形成する左裾口12及び右裾口13を、前記左縫合線14又は右縫合線15の下端から左右側方に向けて下り勾配、背面側で着用者７の左臀部71及び右臀部72の下縁に倣う円弧状としており、いずれも左ヒップライン711及び右ヒップライン721より下方に位置しているため、左臀部71及び右臀部72それぞれに働く左後布23及び右後布33の伸縮作用は、左臀部71及び右臀部72それぞれのヒップアップ作用を発揮する（図２中白抜き矢印参照）。このように、本発明のショーツ１は、左臀部71及び右臀部72それぞれにヒップアップ作用を働かせることにより、審美性に優れたヒップの外観を作り出す効果を得ている。
【００３８】
本例のショーツ１は、左臀部71及び右臀部72別にヒップアップ作用を発揮させるため、左縫合線14又は右縫合線15の下端から左右側方に延びる左裾口12及び右裾口13の部分を下り勾配にし、左縫合線14又は右縫合線15の下端を左裾口12及び右裾口13における最も高い部位としている。これを利用して、左縫合線14又は右縫合線15の下端を更に上方に移動すれば、本例のショーツ１をハイレグ仕様とすることもできる。このように、左鼠径部731及び右鼠径部741に沿わせていない（図１参照）が、左股布21及び右股布31の左側縁213及び右側縁313を左鼠径部731及び右鼠径部732に沿わせれば、左縫合線14又は右縫合線15の下端は前記左鼠径部731及び右鼠径部741に位置させることができる。そして、左縫合線14又は右縫合線15は、着用者７の下腹部を挟んで上下方向に延ばすことにより、着用者７に対する接触が最小限に抑えられ、着用者の不快感を軽減することができる。
【００３９】
また、本例のショーツ１は、左股布21及び右股布31の左股ぐり側縁214及び右股ぐり側縁314に、着用者７の股間76に対応してそれぞれ直線部分215,315を設けている（図３参照）。着用者７の股間76は、前後方向に断面円弧状ではなく、女性器の存在により断面直線状になっている。左股ぐり側縁214及び右股ぐり側縁314それぞれの直線部分215,315は、図５に見られるように、着用者７の股間76に沿って前後方向に伸長する左股布21及び右股布31を、断面円弧状ではなく、断面直線状の平坦面に形成し、女性器を含めた股間76を圧迫することなく、無理なく左股布21及び右股布31を沿わせるようにする。
【００４０】
着用者７の下腹部に中央縫合線16が当たることを避ける場合、図６及び図７に見られるように、左身頃２及び右身頃３から腹当て布５を別体とする別例１のショーツ１を構成する。左身頃２は、図８に見られるように、左股布21及び左後布23が一枚の伸縮性生地から構成され、前記左身頃２に対称な右身頃３も、右股布31及び右後布33が一枚の伸縮性生地から構成される。図８に示された左身頃２及び右身頃３は、着用者７の肌に触れない外側（生地表側）から見ており、便宜上、左股布21及び左後布23や右股布31及び右後布33相互の境界に破線を付している。別例１の腹当て布５は、左身頃２及び右身頃３と同様の伸縮性生地（伸縮率を異ならせてもよい）から構成される。
【００４１】
別例１の左股布21（右股布31）は、左側縁213（右側縁313）の両端に前縁211（前縁311）及び後縁212（後縁312）を有し、前記前縁211（前縁311）及び後縁212（後縁312）に挟まれて略Ｖ字状に開いた左股ぐり側縁（直線部分215を含む）214（右股ぐり側縁（直線部分315を含む）314）を有する変形台形状の生地部分である。後縁212（後縁312）は、左後布23（右後布33）の前縁235（前縁335）を兼ねる境界である。左股ぐり側縁214及び右股ぐり側縁314の直線部分215,315は、着用者７の股間76に沿う平坦面を形成する（図５参照）。
【００４２】
別例１の左後布23（右後布33）は、下縁231（下縁331）の両端に前縁235（前縁335）及び左後側縁233（右後側縁333）を有し、前記前縁235（前縁335）及び左後側縁233（右後側縁333）それぞれから上縁232（上縁332）及び左股ぐり側縁234（右股ぐり側縁334）を延ばして突き合わせた変形五角形状の生地部分である。前縁235（前縁335）は、左股布21（右股布31）の後縁212（後縁312）を兼ねる境界である。また、上縁232（上縁332）は、左腹当て布22（右腹当て布32）の上縁222（上縁322）に連続して穿き口11を形成する。左股布21（右股布31）及び左後布22（右後布32）の大きさや形状は、別例１に限定されず、自由である。
【００４３】
別例１の腹当て布５は、左股布21及び右股布31の前縁211,311に接合される下縁51の両端から、左後布23の左後側縁233と左縫合線14により接合する左前側縁53と、右後布33の右後側縁333と右縫合線15により接合する右前側縁54とを延ばし、前記左前側縁53及び右前側縁54を上縁52で結んだ略台形状の伸縮性生地である。上縁52は、左後布23及び右後布33の上縁232,332に連続して穿き口11を形成する。図示された腹当て布５は、上記例示（図１〜図５参照）のショーツ１における左腹当て布22及び右腹当て布32を合わせた格好の大きさや形状であるが、前記大きさや形状は各部の伸び代等を考慮して決定される。例えば、腹当て布５に機能性生地を用いた場合、下腹部を含む広い範囲に効用があるように、左縫合線14a及び右縫合線15bが上方に向かって開くようになる逆台形状の腹当て布５を用いることもできる。この場合、左身頃２及び右身頃３は、前記腹当て布５の左前側縁53及び右前側縁54に対応して、左前側縁233及び右前側縁333の傾きを調整する（図６中仮想線参照）。
【００４４】
左身頃２、右身頃３及び腹当て布５は、図６及び図９から明らかなように、左股布21及び左後布23に連続する左股ぐり側縁214,234と、右股布31及び右後布33に連続する右股ぐり側縁314,334とを中央縫合線16により接合し、腹当て布５の下縁51を左股布21及び右股布31の前縁211,311と前縫合線17により、また腹当て布５の左前側縁53と左後布23の左後側縁233とを左縫合線14により、そして腹当て布５の右前側縁54と右後布33の右後側縁333とを右縫合線15によりそれぞれ接合することにより、ショーツ１の全体形状を構成する。
【００４５】
左裾口12は、左後布23の下縁231と左股布21の左側縁213とから、また右裾口13は、右後布33の下縁331と右股布31の右側縁313とから、それぞれ左ヒップライン711及び右ヒップライン721より下方に形成される。別例１のショーツ１は、平ゴム121,131を縫着又は別途設けた筒部に内挿した左裾口12及び右裾口13を、着用者７の左脚73及び右脚74の付け根にフィットさせている。穿き口11は、連続する腹当て布５の上縁52、左後布23の上縁232及び右後布33の上縁332から形成される。別例１のショーツ１は、前記穿き口11にレースゴム111を縫着し、着用者７の腰75に面接触させて、締付けによる圧迫感を軽減している。レースゴム111に代えて、上記左裾口12及び右裾口13のように、平ゴムを縫着又は穿き口11に設けた筒部に内挿してもよい。
【００４６】
別例１のショーツ１は、上記例示同様（図１〜図５参照）、左後布２及び右後布３が中央縫合線16により分断されて左臀部71及び右臀部72それぞれにヒップアップ作用が発揮されながら、前面側に前記中央縫合線16がなくなり、前記中央縫合線16が着用者７の下腹部に擦れ合うことによる不快感をなくしている。ここで、左縫合線14及び右縫合線15が、下腹部を挟んでそれぞれが上下方向に延び、かつそれぞれの下端が左鼠径部741及び右鼠径部731に位置すれば（図１参照）、前記左縫合線14及び右縫合線15の着用者７に対する接触が最小限に抑えられ、着用者７の不快感を軽減できる。
【００４７】
また、着用者７の下腹部及び股間76に中央縫合線16が当たることを避ける場合、図10及び図11に見られるように、左身頃２及び右身頃３から腹当て布５及び股布４を別体とする別例２のショーツ１を構成する。左身頃２は、図12に見られるように、一枚の伸縮性生地である左後布23から構成され、前記左身頃２に対称な右身頃３も、一枚の伸縮性生地である右後布33から構成される。図12に示された左身頃２及び右身頃３は、着用者７の肌に触れない外側（生地表側）から見ている。別例2の腹当て布５及び股布４は、左身頃２及び右身頃３と同様の伸縮性生地（伸縮率を異ならせてもよい）から構成される。
【００４８】
別例２の左後布23（右後布33）は、下縁231（下縁331）の両端に前縁235（前縁335）及び左後側縁233（右後側縁333）を有し、前記前縁235（前縁335）及び左後側縁233（右後側縁333）それぞれから上縁232（上縁332）及び左股ぐり側縁234（右股ぐり側縁334）を延ばして突き合わせた変形五角形状の伸縮性生地である。前縁235（前縁335）は、股布４の後縁42を接合する。また、上縁232（上縁332）は、腹当て布５の上縁52に連続して穿き口11を形成する。左後布23（右後布33）の大きさや形状は、別例２に限定されず、自由である。
【００４９】
別例２の腹当て布５は、股布４の前縁41に接合される下縁51の両端から、左後布23の左後側縁233と左縫合線14により接合する左前側縁53と、右後布33の右後側縁333と右縫合線15により接合する右前側縁54とを延ばし、前記左前側縁53及び右前側縁54を上縁52で結んだ略台形状の伸縮性生地である。上縁52は、左後布23及び右後布33の上縁232,332に連続して穿き口11を形成する。図示された腹当て布５は、上記例示（図１〜図５参照）のショーツ１における左腹当て布22及び右腹当て布32を合わせた格好の大きさや形状であるが、前記大きさや形状は各部の伸び代等を考慮して決定される。
【００５０】
別例２の股布４は、V字状の後縁42の両端から、左後布23の下縁231に連続して左裾口12を形成するために緩やかに湾曲した左側縁43と、前記右後布33の下縁331に連続して右裾口13を形成するために緩やかに屈曲した右側縁44とを延ばし、前記左側縁43及び右側縁44端を湾曲した前縁41で結んだ瓢箪形状の伸縮性生地である。後縁42は、左後布23及び右後布33の前縁235,335それぞれに後縫合線18により接合される。前縁41は、腹当て布５の下縁51に前縫合線17により接合される。図示された股布４は、上記例示（図１〜図５参照）のショーツ１における左股布22及び右股布31を合わせた格好の大きさや形状であるが、前記大きさや形状は各部の延び代等を考慮して決定される。
【００５１】
左身頃２、右身頃３、腹当て布５及び股布４は、図10、図11及び図13から明らかなように、左後布23の左股ぐり側縁234と右後布33の右股ぐり側縁334とを背面側で中央縫合線16により接合し、股布４の後縁41を前記左後布23及び右後布33の前縁235,335に後縫合線18により、そして腹当て布５の下縁51を股布４の前縁41と前縫合線17によりそれぞれ接合すると共に、腹当て布５の左前側縁53と左後布23の左後側縁233とを左縫合線14により、そして腹当て布５の右前側縁54と右後布33の右後側縁333とを右縫合線15によりそれぞれ接合して、ショーツ１の全体形状を構成する。
【００５２】
左裾口12は、左後布23の下縁231と股布４の左側縁43とから、また右裾口13は、右後布33の下縁331と前記股布４の右側縁44とから、それぞれ左ヒップライン711及び右ヒップライン721より下方に形成される。別例２のショーツ１は、平ゴム121,131を縫着又は別途設けた筒部に内挿した左裾口12及び右裾口13を、着用者７の左脚73及び右脚74の付け根にフィットさせている。穿き口11は、連続する腹当て布５の上縁52、左後布23の上縁232及び右後布33の上縁332から形成される。別例２のショーツ１は、前記穿き口11にレースゴム111を縫着し、着用者７の腰75に面接触させて、締付けによる圧迫感を軽減している。レースゴム111に代えて、上記左裾口12及び右裾口13のように、平ゴムを縫着又は穿き口11に設けた筒部に内挿してもよい。
【００５３】
別例２のショーツ１は、上記例示同様（図１〜図５参照）、左後布２及び右後布３が中央縫合線16により分断されて左臀部71及び右臀部72それぞれにヒップアップ作用が発揮されながら、前面側及び股間側に前記中央縫合線16がなくなり、前記中央縫合線16が着用者７の下腹部に擦れ合うことによる不快感をなくしている。ここで、左縫合線14及び右縫合線15が、下腹部を挟んでそれぞれが上下方向に延び、かつそれぞれの下端が左鼠径部741及び右鼠径部731に位置すれば（図１参照）、前記左縫合線14及び右縫合線15の着用者７に対する接触が最小限に抑えられ、着用者７の不快感を軽減できる。
【００５４】
更に、着用者の下腹部に前縫合線17が当たることを避ける場合、図14及び図15に見られるように、左身頃２及び右身頃３から腹当て股布６を別体とする別例３のショーツ１を構成する。左身頃２は、図16に見られるように、一枚の伸縮性生地である左後布23から構成され、前記左身頃２に対称な右身頃３も、一枚の伸縮性生地である右後布33から構成される。図16に示された左身頃２及び右身頃３は、着用者７の肌に触れない外側（生地表側）から見ている。別例３の腹当て布股布６は、左身頃２及び右身頃３と同様の伸縮性生地（伸縮率を異ならせてもよい）から構成される。
【００５５】
別例３の左後布23（右後布33）は、別例２と同形で、下縁231（下縁331）の両端に前縁235（前縁335）及び左後側縁233（右後側縁333）を有し、前記前縁235（前縁335）及び左後側縁233（右後側縁333）それぞれから上縁232（上縁332）及び左股ぐり側縁234（右股ぐり側縁334）を延ばして突き合わせた変形五角形状の伸縮性生地である。前縁235（前縁335）は、腹当て股布６の後縁61を接合する。また、上縁232（上縁332）は、腹当て股布６の上縁62に連続して穿き口11を形成する。左後布22（右後布32）の大きさや形状は、別例３に限定されず、自由である。
【００５６】
別例３の腹当て股布６は、V字状の後縁61の両端から、左後布23の下縁231に連続して左裾口12を形成するために緩やかに湾曲した左側縁65と、前記右後布33の下縁331に連続して右裾口13を形成するために緩やかに屈曲した右側縁66とを延ばし、前記左側縁65端から左後布23の左後側縁233と左縫合線14により接合する左前側縁63を延ばし、また前記右側縁66端から右後布33の右後側縁333と右縫合線15により接合する右前側縁64を延ばして、前記左前側縁63及び右前側縁64端を上縁62で結んだ変形瓢箪形状の伸縮性生地である。上縁62は、左後布23及び右後布33の上縁232,332に連続して穿き口11を形成する。図示された腹当て股布６は、上記例示（図１〜図５参照）のショーツ１における左腹当て布22、右腹当て布32、左股布21及び右股布31を合わせた格好の大きさや形状であるが、前記大きさや形状は各部の伸び代等を考慮して決定される。
【００５７】
左身頃２、右身頃３、腹当て股布６は、図14、図15及び図17から明らかなように、左後布23の左股ぐり側縁234と右後布33の右股ぐり側縁334とを背面側で中央縫合線16により接合し、腹当て股布６の後縁61を前記左後布23及び右後布33の前縁235,335に後縫合線18により接合すると共に、前記腹当て股布６の左前側縁63と左後布23の左後側縁233とを左縫合線14により、そして腹当て股布６の右前側縁64と右後布33の右後側縁333とを右縫合線15によりそれぞれ接合して、ショーツ１の全体形状を構成する。
【００５８】
左裾口12は、左後布23の下縁231と腹当て股布６の左側縁65とから、また右裾口13は、右後布33の下縁331と前記腹当て股布６の右側縁66とから、それぞれ左ヒップライン711及び右ヒップライン721より下方に形成される。別例３のショーツ１は、平ゴム121,131を縫着又は別途設けた筒部に内挿した左裾口12及び右裾口13を、着用者７の左脚73及び右脚74の付け根にフィットさせている。穿き口11は、連続する腹当て股布６の上縁62、左後布23の上縁232及び右後布33の上縁332から形成される。別例３のショーツ１は、前記穿き口11にレースゴム111を縫着し、着用者７の腰75に面接触させて、締付けによる圧迫感を軽減している。レースゴム111に代えて、上記左裾口12及び右裾口13のように、平ゴムを縫着又は穿き口11に設けた筒部に内挿してもよい。
【００５９】
別例３のショーツ１は、上記例示同様（図１〜図５参照）、左後布２及び右後布３が中央縫合線16により分断されて左臀部71及び右臀部72それぞれにヒップアップ作用が発揮されながら、前面側及び股間側に前記中央縫合線16がなく、更に前縫合線17もなくなっており（図10及び図14比較対照）、前記中央縫合線16や前縫合線17が着用者７の下腹部に擦れ合うことによる不快感をなくしている。ここで、左縫合線14及び右縫合線15が、下腹部を挟んでそれぞれが上下方向に延び、かつそれぞれの下端が左鼠径部741及び右鼠径部731に位置すれば（図１参照）、前記左縫合線14及び右縫合線15の着用者７に対する接触が最小限に抑えられ、着用者７の不快感を軽減できる。
【００６０】
本例（図１〜図５）及び別例１〜別例３（図６〜図17）のショーツ１に対し、左股布21及び右股布31（本例又は別例１）、股布４（別例２）又は腹当て股布６の股布相当部分（別例３）の内側に、図20に見られる補助股布45を積層すると、前記左股布21及び右股布31、股布４又は腹当て股布６の股布相当部分が着用者７の股間76に食い込むことを防止できる。代表として、本例に補助股布45を取り付けた構成である別例４のショーツ１を、図18及び図19に示す。図示を省略するが、別例１〜別例３（図６〜図17）のショーツ１にも、同様に前記補助股布45を取り付けることができる。
【００６１】
補助股布45は、図20に見られるように、緩やかな円弧状の後縁452の両端から直線状に左側縁453及び右側縁454を延ばし、前記左側縁453及び右側縁454端を湾曲した前縁451で結んだ略長方形状の伸縮性生地で、左股布21及び右股布31（本例又は別例１）、股布４（別例２）又は腹当て股布６の股布相当部分（別例３）に比べて後方に長尺な外形状で、着用者５の股間76を前後方向ですべて覆うようにしている。補助股布45は、抗菌、脱臭、通気、吸水、蒸散、保湿、保温、保冷、撥水等を有する機能性生地を用いることができるため、前記機能が股間76に発揮されるように、長尺としている。
【００６２】
別例４の補助股布45は、前縁451及び後縁452のみをショーツ１に接合し、左側縁453右側縁454を自由状態にしながら（図19中、左股布21と補助股布45との間に隙間がある）、伸縮性を与える平ゴム455,455を縫着している。これにより、補助股布45は、前後方向に緊張が与えられながら左右方向に揺動しやすくなり、着用者７が動いても股間76に密着させやすくなる。これに対し、左股布21（右股布31）は余裕が与えられるので、股布の股間に食い込みにくくなる。これにより、左後布23及び右後布33により与えられるヒップアップ作用と相まって、前面側から股間76にかけての外形状が整えられ、別例４のショーツ１は、全体的に審美性に優れた外観を作り出すことができる。
【００６３】
また、本例（図１〜図５）及び別例１〜別例３（図６〜図17）のショーツ１に対し、左腹当て布22及び右腹当て布32（本例）、腹当て布５（別例１又は別例２）又は腹当て股布６の腹当て布相当部分（別例３）の内側に補助腹当て布55を積層すると、中央縫合線16が着用者７の下腹部に擦れなくなったり（左腹当て布22及び右腹当て布32がある場合）、着用者７の下腹部の保温性を高めたりできる。代表として、本例に補助腹当て布55を取り付けた構成である別例５のショーツ１を、図21及び図22に示す。図示を省略するが、別例１〜別例３（図６〜図17）のショーツ１にも、同様に前記補助腹当て布55を取り付けることができる。
【００６４】
補助腹当て布55は、図23に見られるように、緩やかな円弧状の下縁551の両端から図23中上方に向かって開くように左側縁553及び右側縁554を延ばし、前記左側縁553及び右側縁554端を湾曲した前縁552で結んだ略台形形状の伸縮性生地で、左腹当て布22及び右腹当て布32（本例）、腹当て布５（別例１又は別例２）又は腹当て股布６の腹当て布相当部分（別例３）に比べて幅広な外形状にして、着用者５の下腹部をより広く覆うようにしている。補助腹当て布55は、着用者７の下腹部を暖める目的があるほか、抗菌、脱臭、通気、吸水、蒸散、保湿、保温、保冷、撥水等を有する機能性生地を用いることができ、前記機能が下腹部に発揮されるように、幅広にしている。
【００６５】
更に、本例（図１〜図５）及び別例１〜別例３（図６〜図17）のショーツ１に対し、左股布21及び右股布31（本例又は別例１）、股布４（別例２）又は腹当て股布６の股布相当部分（別例３）から左腹当て布22及び右腹当て布32（本例）、腹当て布５（別例１又は別例２）又は腹当て股布６の腹当て布相当部分（別例３）の内側に補助腹当て股布67を積層すると、中央縫合線16が着用者７の下腹部（左腹当て布22及び右腹当て布32がある場合）や股間76に擦れなくなったり、着用者７の下腹部の保温性を高めたりできる。代表として、本例に補助腹当て股布67を取り付けた別例６のショーツ１を、図24及び図25に示す。図示を省略するが、別例１〜別例３（図６〜図17）のショーツ１にも、同様に前記補助腹当て股布67を取り付けることができる。
【００６６】
補助腹当て股布67は、図26に見られるように、緩やかな円弧状の後縁671の両端から図26中上方に向かって平行に左側縁675及び右側縁676を延ばし、前記左側縁675及び右側縁676端から図26中上方に向かって開くように左前側縁673及び右前側縁674を延ばし、前記左前側縁673及び右前側縁674端を直線状の前縁451で結んで構成される上述の補助股布45及び補助腹当て布55を合わせた外形状の伸縮性生地で、左股布21及び右股布31（本例又は別例１）、股布４（別例２）又は腹当て股布６の股布相当部分（別例３）に比べて後方に長尺にして、着用者５の股間76を前後方向ですべて覆うようにしている。補助股布45は、着用者７の下腹部を暖めるほか、抗菌、脱臭、通気、吸水、蒸散、保湿、保温、保冷、撥水等を有する機能性生地を用いることができるため、前記機能が下腹部及び股間76に発揮されるようにしている。
【００６７】
別例６の補助腹当て股布67の股布相当部分は、中間縁677及び後縁671のみをショーツ１に接合し、前記股布相当部分の左側縁675及び右側縁676を自由状態にしながら（図26中、左股布21と補助腹当て股布67の股布相当部分との間に隙間がある）、伸縮性を与える平ゴム678,678を前記左側縁675及び右側縁676に縫着している。また、別例６の補助腹当て股布67の腹当て布相当部分は、四方を囲む上縁672、中間縁677、左前側縁673及び右前側縁674すべてをショーツ１に接合する。
【００６８】
補助腹当て股布67の腹当て布相当部分は、ショーツ１に対してずれなく着用者７の下腹部を安定して覆うことができ、下腹部の保温性を高める働きを十分に発揮させることができ、また補助腹当て股布67の股布相当部分は、前後方向に緊張が与えられながら左右方向に揺動しやすくなり、着用者７が動いても股間76に密着させやすくなる。これに対し、左股布21（右股布31）は余裕が与えられるので、股布の股間に食い込みにくくなる。これにより、左後布23及び右後布33により与えられるヒップアップ作用と相まって、前面側から股間76にかけての外形状が整えられ、別例４のショーツ１は、全体的に審美性に優れた外観を作り出すことができる。
【００６９】
このほか、図示を省略するが、補助腹当て股布67は、股布相当部分を左股布21及び右股布31（本例又は別例１）又は股布４（別例２）の内側に積層しながら、左腹当て布22及び右腹当て布32（本例）、腹当て布５（別例１又は別例２）を取り除いて、腹当て布相当部分をショーツ１の表側に出すこともできる。この場合、表に露出する補助腹当て股布67の腹当て布相当部分は、審美性を高めるレース地の装飾を施した構成としてもよい（図示略）。また、表に露出する補助腹当て股布67の腹当て布相当部分は、着用者７の下腹部に接する部分として機能性生地を用いてもよい。この場合、前記レース地の装飾を備えた機能性生地を用いることもできる。
【００７０】
上述までの本例及び別例１〜別例６は、いずれも女性用下衣であるショーツ１についてのものであったが、本発明は男性用下衣であるパンツにも適用できる。この場合、男性器に応じた空間を股布に形成するために、男性器を収納するポケットスペースを構成する余剰を前記股布に設けたり、前記ポケットスペースを別体として前記股布に取り付けたりする。ポケットスペースを構成する余剰や別体のポケットスペースは、従来公知の同種男性用の下衣にも見られる構成であり、ポケットスペースの有無を除けば、男性用下衣であるパンツについて、上述までの本例及び別例１〜別例６の構成を利用することができる。このため、男性用の下衣については、図示及び説明を省略する。
【００７１】
このほか、本発明を応用すれば、例えば本例の左身頃２及び右身頃３の左後布23及び右後布33の下縁231,331から伸縮性生地を延ばし、着用者７の脚を包む脚部を構成したスパッツ、レギンス又はトレンカ等を構成することもできる。この場合、前記左身頃２及び右身頃３の左後布23及び右後布33の下縁231,331が着用者７の左臀部71及び右臀部72の下縁に倣う円弧状で、いずれも左ヒップライン711及び右ヒップライン721より下方に位置していれば、前記下縁231,331から延長させた伸縮性生地と関係なく、本発明のヒップアップ作用を得ることができる。これにより、従来より審美性に優れたヒップの外観を作り出すスパッツ、レギンス又はトレンカ等を実現できる。
【符号の説明】
【００７２】
１  ショーツ
11  穿き口
12  左裾口
13  右裾口
14  左縫合線
15  右縫合線
16  中央縫合線
17  前縫合線
18  後縫合線
２  左身頃
21  左股布
22  左腹当て布
23  左後布
３  右身頃
31  右股布
32  右腹当て布
33  右後布
４  股布
41  前縁
42  後縁
43  左側縁
44  右側縁
45  補助股布
５  腹当て布
51  下縁
52  上縁
53  左前側縁
54  右前側縁
55  補助腹当て布
６  腹当て股布
61  後縁
62  上縁
63  左前側縁
64  右前側縁
65  左側縁
66  右側縁
67  補助腹当て股布
７  着用者
71  左臀部
72  右臀部
73  左脚
74  右脚
75  腰
76  股間
【図１】
2016117974.tif 000003
【図２】
2016117974.tif 000004
【図３】
2016117974.tif 000005
【図４】
2016117974.tif 000006
【図５】
2016117974.tif 000007
【図６】
2016117974.tif 000008
【図７】
2016117974.tif 000009
【図８】
2016117974.tif 000010
【図９】
2016117974.tif 000011
【図１０】
2016117974.tif 000012
【図１１】
2016117974.tif 000013
【図１２】
2016117974.tif 000014
【図１３】
2016117974.tif 000015
【図１４】
2016117974.tif 000016
【図１５】
2016117974.tif 000017
【図１６】
2016117974.tif 000018
【図１７】
2016117974.tif 000019
【図１８】
2016117974.tif 000020
【図１９】
2016117974.tif 000021
【図２０】
2016117974.tif 000022
【図２１】
2016117974.tif 000023
【図２２】
2016117974.tif 000024
【図２３】
2016117974.tif 000025
【図２４】
2016117974.tif 000026
【図２５】
2016117974.tif 000027
【図２６】
2016117974.tif 000028
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
股布から前面に起こした腹当て布に対して、前記股布から背面に広がり、着用者の左臀部を包み込んで左側方から前面に掛け回した伸縮性のある左後布を左縫合線により接合し、また前記股布から背面に広がり、着用者の右臀部を包み込んで右側方から前面に掛け回した伸縮性のある右後布を右縫合線により接合して構成され、
左裾口は、腹当て布の左前側縁と左後布の左後側縁とを、股布の左側縁及び左後布の下縁から見て互いの距離が開くようにそれぞれ傾斜させることにより、左縫合線の下端を最も高い部位として、前記左縫合線の下端から左側方に向けて下り勾配で延び、着用者の左臀部の下縁に倣う円弧状である左後布の下縁と、股布の左側縁とから裾窄まりに形成され、
右裾口は、腹当て布の右前側縁と右後布の右後側縁とを、股布の右側縁及び右後布の下縁から見て互いの距離が開くようにそれぞれ傾斜させることにより、右縫合線の下端を最も高い部位として、前記右縫合線の下端から右側方に向けて下り勾配で延び、着用者の右臀部の下縁に倣う円弧状である右後布の下縁と、股布の右側縁とから裾窄まりに形成され、
穿き口は、連続する腹当て布の上縁、左後布の上縁及び右後布の上縁から形成される下衣。
【請求項２】
股布及び腹当て布は、それぞれ左股布及び右股布、左腹当て布及び右腹当て布に分かれ、左股布、左腹当て布及び左後布が一体の左身頃を、右股布、右腹当て布及び右後布が一体の右身頃をそれぞれ構成し、
左身頃及び右身頃は、左腹当て布、左股布及び左後布に連続する左股ぐり側縁と、右腹当て布、右股布及び右後布に連続する右股ぐり側縁とを中央縫合線により接合し、
左腹当て布の左前側縁と左後布の左後側縁とを左縫合線により、右腹当て布の右前側縁と右後布の右後側縁とを右縫合線によりそれぞれ接合する請求項１記載の下衣。
【請求項３】
股布は、左股布及び右股布に分かれ、腹当て布は、前記左股布及び右股布から分離した別体で、左股布及び左後布が一体の左身頃を、右股布及び右後布が一体の右身頃をそれぞれ構成し、
左身頃及び右身頃は、左股布及び左後布に連続する左股ぐり側縁と、右股布及び右後布に連続する右股ぐり側縁とを中央縫合線により接合し、
左股布の上縁と右股布の上縁とをそれぞれ腹当て布の下縁に前縫合線により接合し、
腹当て布の左前側縁と左後布の左後側縁とを左縫合線により、前記腹当て布の右前側縁と右後布の右後側縁とを右縫合線によりそれぞれ接合する請求項１記載の下衣。
【請求項４】
股布は、左後布及び右後布から分離した別体で、腹当て布は、前記股布から分離した別体で、左後布が左身頃を、右後布が右身頃をそれぞれ構成し、
左身頃及び右身頃は、左後布の左股ぐり側縁と、右後布の右股ぐり側縁とを中央縫合線により接合し、
左後布の左股ぐり側縁及び下縁に挟まれた前縁と右後布の右股ぐり側縁及び下縁に挟まれた前縁とをそれぞれ股布の後縁に後縫合線により接合し、
股布の前縁を腹当て布の下縁に前縫合線により接合し、
腹当て布の左前側縁と左後布の左後側縁とを左縫合線により、前記腹当て布の右前側縁と右後布の右後側縁とを右縫合線によりそれぞれ接合する請求項１記載の下衣。
【請求項５】
股布及び腹当て布は、一体の腹当て股布として左後布及び右後布から分離した別体で、左後布が左身頃を、右後布が右身頃をそれぞれ構成し、
左身頃及び右身頃は、左後布の左股ぐり側縁と、右後布の右股ぐり側縁とを中央縫合線により接合し、
左後布の左股ぐり側縁及び下縁に挟まれた前縁と右後布の右股ぐり側縁及び下縁に挟まれた前縁とをそれぞれ腹当て股布の後縁に後縫合線により接合し、
腹当て股布の左前側縁と左後布の左後側縁とを左縫合線により、前記腹当て股布の右前側縁と右後布の右後側縁とを右縫合線によりそれぞれ接合する請求項１記載の下衣。
【請求項６】
股布は、内側に補助股布を重ねた積層構造とした請求項１〜５いずれか記載の下衣。
【請求項７】
補助股布は、前縁及び後縁のみ接合固定し、左右側縁を自由状態にした請求項６記載の下衣。
【請求項８】
腹当て布は、内側に補助腹当て布を重ねた積層構造とした請求項１〜５いずれか記載の下衣。
【請求項９】
腹当て布又は股布は、どちらか一方又は双方の内側に補助腹当て股布を重ねた積層構造とした請求項１〜５いずれか記載の下衣。
【手続補正２】
【補正対象書類名】明細書
【補正対象項目名】０００８
【補正方法】変更
【補正の内容】
【０００８】
検討の結果開発したものが、股布から前面に起こした腹当て布に対して、前記股布から背面に広がり、着用者の左臀部を包み込んで左側方から前面に掛け回した伸縮性のある左後布を左縫合線により接合し、また前記股布から背面に広がり、着用者の右臀部を包み込んで右側方から前面に掛け回した伸縮性のある右後布を右縫合線により接合して構成され、左裾口は、腹当て布の左前側縁と左後布の左後側縁とを、股布の左側縁及び左後布の下縁から見て互いの距離が開くようにそれぞれ傾斜させることにより、左縫合線の下端を最も高い部位として、前記左縫合線の下端から左側方に向けて下り勾配で延び、着用者の左臀部の下縁に倣う円弧状である左後布の下縁と、股布の左側縁とから裾窄まりに形成され、右裾口は、腹当て布の右前側縁と右後布の右後側縁とを、股布の右側縁及び右後布の下縁から見て互いの距離が開くようにそれぞれ傾斜させることにより、右縫合線の下端を最も高い部位として、前記右縫合線の下端から右側方に向けて下り勾配で延び、着用者の右臀部の下縁に倣う円弧状である右後布の下縁と、股布の右側縁とから裾窄まりに形成され、穿き口は、連続する腹当て布の上縁、左後布の上縁及び右後布の上縁から形成される下衣である。
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
股布から前面に起こした腹当て布に対して、前記股布から背面に広がり、下縁が着用者の左臀部のヒップラインより下方に設定され、左臀部の全部又はほとんどに宛てがわれて前記左臀部を包み込む伸縮性の左後布を左側方から前面に掛け回して左縫合線により接合し、また前記股布から背面に広がり、下縁が着用者の右臀部のヒップラインより下方に設定され、右臀部の全部又はほとんどに宛てがわれて前記右臀部を包み込む伸縮性の右後布を右縫合線により接合して構成され、
左裾口は、腹当て布の左前側縁と左後布の左後側縁とを、股布の左側縁及び左後布の下縁から見て互いの距離が開くようにそれぞれ傾斜させることにより、左縫合線の下端を最も高い部位として、前記左縫合線の下端から左側方に向けて下り勾配で延び、着用者の左臀部の下縁に倣う円弧状である左後布の下縁と、股布の左側縁とから裾窄まりに形成され、
右裾口は、腹当て布の右前側縁と右後布の右後側縁とを、股布の右側縁及び右後布の下縁から見て互いの距離が開くようにそれぞれ傾斜させることにより、右縫合線の下端を最も高い部位として、前記右縫合線の下端から右側方に向けて下り勾配で延び、着用者の右臀部の下縁に倣う円弧状である右後布の下縁と、股布の右側縁とから裾窄まりに形成され、
穿き口は、連続する腹当て布の上縁、左後布の上縁及び右後布の上縁から形成される下衣。
【請求項２】
股布及び腹当て布は、それぞれ左股布及び右股布、左腹当て布及び右腹当て布に分かれ、左股布、左腹当て布及び左後布が一体の左身頃を、右股布、右腹当て布及び右後布が一体の右身頃をそれぞれ構成し、
左身頃及び右身頃は、左腹当て布、左股布及び左後布に連続する左股ぐり側縁と、右腹当て布、右股布及び右後布に連続する右股ぐり側縁とを中央縫合線により接合し、
左腹当て布の左前側縁と左後布の左後側縁とを左縫合線により、右腹当て布の右前側縁と右後布の右後側縁とを右縫合線によりそれぞれ接合する請求項１記載の下衣。
【請求項３】
股布は、左股布及び右股布に分かれ、腹当て布は、前記左股布及び右股布から分離した別体で、左股布及び左後布が一体の左身頃を、右股布及び右後布が一体の右身頃をそれぞれ構成し、
左身頃及び右身頃は、左股布及び左後布に連続する左股ぐり側縁と、右股布及び右後布に連続する右股ぐり側縁とを中央縫合線により接合し、
左股布の上縁と右股布の上縁とをそれぞれ腹当て布の下縁に前縫合線により接合し、
腹当て布の左前側縁と左後布の左後側縁とを左縫合線により、前記腹当て布の右前側縁と右後布の右後側縁とを右縫合線によりそれぞれ接合する請求項１記載の下衣。
【請求項４】
股布は、左後布及び右後布から分離した別体で、腹当て布は、前記股布から分離した別体で、左後布が左身頃を、右後布が右身頃をそれぞれ構成し、
左身頃及び右身頃は、左後布の左股ぐり側縁と、右後布の右股ぐり側縁とを中央縫合線により接合し、
左後布の左股ぐり側縁及び下縁に挟まれた前縁と右後布の右股ぐり側縁及び下縁に挟まれた前縁とをそれぞれ股布の後縁に後縫合線により接合し、
股布の前縁を腹当て布の下縁に前縫合線により接合し、
腹当て布の左前側縁と左後布の左後側縁とを左縫合線により、前記腹当て布の右前側縁と右後布の右後側縁とを右縫合線によりそれぞれ接合する請求項１記載の下衣。
【請求項５】
股布及び腹当て布は、一体の腹当て股布として左後布及び右後布から分離した別体で、左後布が左身頃を、右後布が右身頃をそれぞれ構成し、
左身頃及び右身頃は、左後布の左股ぐり側縁と、右後布の右股ぐり側縁とを中央縫合線により接合し、
左後布の左股ぐり側縁及び下縁に挟まれた前縁と右後布の右股ぐり側縁及び下縁に挟まれた前縁とをそれぞれ腹当て股布の後縁に後縫合線により接合し、
腹当て股布の左前側縁と左後布の左後側縁とを左縫合線により、前記腹当て股布の右前側縁と右後布の右後側縁とを右縫合線によりそれぞれ接合する請求項１記載の下衣。
【請求項６】
股布は、内側に補助股布を重ねた積層構造とした請求項１〜５いずれか記載の下衣。
【請求項７】
補助股布は、前縁及び後縁のみ接合固定し、左右側縁を自由状態にした請求項６記載の下衣。
【請求項８】
腹当て布は、内側に補助腹当て布を重ねた積層構造とした請求項１〜５いずれか記載の下衣。
【請求項９】
腹当て布又は股布は、どちらか一方又は双方の内側に補助腹当て股布を重ねた積層構造とした請求項１〜５いずれか記載の下衣。
【手続補正２】
【補正対象書類名】明細書
【補正対象項目名】０００８
【補正方法】変更
【補正の内容】
【０００８】
検討の結果開発したものが、股布から前面に起こした腹当て布に対して、前記股布から背面に広がり、下縁が着用者の左臀部のヒップラインより下方に設定され、左臀部の全部又はほとんどに宛てがわれて前記左臀部を包み込む伸縮性の左後布を左側方から前面に掛け回して左縫合線により接合し、また前記股布から背面に広がり、下縁が着用者の右臀部のヒップラインより下方に設定され、右臀部の全部又はほとんどに宛てがわれて前記右臀部を包み込む伸縮性の右後布を右縫合線により接合して構成され、左裾口は、腹当て布の左前側縁と左後布の左後側縁とを、股布の左側縁及び左後布の下縁から見て互いの距離が開くようにそれぞれ傾斜させることにより、左縫合線の下端を最も高い部位として、前記左縫合線の下端から左側方に向けて下り勾配で延び、着用者の左臀部の下縁に倣う円弧状である左後布の下縁と、股布の左側縁とから裾窄まりに形成され、右裾口は、腹当て布の右前側縁と右後布の右後側縁とを、股布の右側縁及び右後布の下縁から見て互いの距離が開くようにそれぞれ傾斜させることにより、右縫合線の下端を最も高い部位として、前記右縫合線の下端から右側方に向けて下り勾配で延び、着用者の右臀部の下縁に倣う円弧状である右後布の下縁と、股布の右側縁とから裾窄まりに形成され、穿き口は、連続する腹当て布の上縁、左後布の上縁及び右後布の上縁から形成される下衣である。